(57)【要約】離間支持装置に関係があり、人の顔面とヘルメットに装着された目保護マスク間の距離を維持する。装置は、ヘルメットの両側に配置された、２つの対称なエレメントによって形成される。各エレメントは、回転シャフト（２）による支持部（２）に蝶番付けされたフラップ（１）によって形成される。フラップが後方に配置され時に、ストラップは通常位置に係止される。ユーザーがフラップを順方向に押した場合、フラップは略１８０°回転し、顔面に代わるマスクの新たな支持位置になる。その後、マスクはストラップおよびマスクに押し迫るレバー（４）のテンションによって適所に保持される。ローラー（５）は、フラップに堅実に接続された軸に搭載され、ストラップの下のフラップの移動を促進する。装置は、ヘルメット着用者に更なる換気を供給し、保護マスクを取り外すことなく、ヘルメットの取り外しが可能になる。【選択図】図１
2013526659.tif 000002
【特許請求の範囲】
【請求項１】
ヘルメットに装着される弾性ヘッドバンドを備えた目保護マスクを顔面から移動して離間支持する装置であって、
各々が、軸（３）に軸支される支持部（２）に連結されるフラップ（１）で構成される２つの対称的なエレメントを含み、前方に向かって押し返した時にマスク上で接合部として用いられ、フラップの移動を可能にするレバーを備えることを特徴とする装置。
【請求項２】
前記フラップは、前記フラップの移動の促進のために前記軸に設けられたローラー（５）を備えることを特徴する請求項１に記載の装置。
【請求項３】
前記支持部の前方部分で前記フラップの端部が支持されるために、前記ヘルメットに装着を可能にするフック（６）を備えることを特徴とすることを特徴する請求項１あるいは請求項２に記載の装置。
【請求項４】
前記支持部は、弾性部材により形成され、前記ヘルメットの曲率に適合するための取り付け部材であることを特徴する請求項１乃至請求項３の何れか１つに記載の装置。
【請求項５】
前記支持部と前記フラップは、前記フラップが後方または前方にあっても、装置の所望する箇所に保持されるマスクのヘッドバンドに対して複数の端部を備えることを特徴する請求項１乃至請求項４の何れか１つに記載の装置。
【請求項６】
両方のフラップおよび支持部は、一体的部材として形成され、接合箇所が薄く形成されることを特徴する請求項１乃至請求項５の何れか１つに記載の装置。
【請求項７】
支持部およびフラップは、前記ヘルメットに前記マスクが非装着な時に、後方位置で前記支持部に対して、平らを維持する前記フラップにするために、ラグとノッチを備えることを特徴する請求項１乃至請求項６の何れか１つに記載の装置。
【請求項８】
前記装置の前記２つの対称的なエレメントの各々が、前記ヘルメットの不可欠な部分を形成する部分に成り、前記装置の動作原理を同じに再生するように構成されることを特徴する請求項１乃至請求項７の何れか１つに記載の装置。
【発明の詳細な説明】
【技術分野】
【０００１】
本発明は、個別に動作して、ヘルメット上に着用された後で、（スキーかモトクロス・タイプの）弾性ヘッドバンドによって支持される目保護マスクを顔面から離間支持するための装置に関係する。
【背景技術】
【０００２】
この装置は、今日まで同等物がないので、斬新である。本質的な２つの理由が本発明を動機づけた。１番目は、そのヘルメットを着脱に関係する。  
それらの能力を最高に活用するために、保護マスクは、弾性ヘッドバンドおよびシールフォーム材により顔面の形状に最も適合する。
【０００３】
着用者がマスクを先に取り外ささないで、ヘルメットを脱ぐことは、結果として、非常に厄介か、苦痛を与えるか、あるいは確実に不可能である。前述した装置は、後者におけるそれらの通常位置で保護眼鏡を装着している場合、ヘルメットを脱ぐために、顔面から離すようにマスクを十分に移動させる必要性を与える。
【０００４】
第２の理由は、マスクの着用者が、気流を用いて全体的に使用する通常の換気装置（スクリーン又は装着部に形成される開口部）が作り出すことが可能な置換を行わない際の、マスク装着時の水滴の発生に関わる。
【発明の概要】
【０００５】
本発明は、顔面から離すようにマスクを移動させることにより、保護スクリーンの内面上の水滴の発生を効率的に防ぐために、マスクと顔面の間に十分な気流をさらに許容する。
【図面の簡単な説明】
【０００６】
【図１】図１は、装置の左側のエレメントを説明する。
【図２】図２は、装置の右側のエレメントのプロトタイプを説明する図である。
【図３】図３は、装置の右側のエレメントのプロトタイプを説明する図である。
【図４】図４は、フラップが後方位置にある場合のマスクに対する装置の効果を説明する図である。
【図５】図５は、フラップが前方位置にある場合のマスクに対する装置の効果を説明する図である。
【発明を実施するための形態】
【０００７】
本発明による装置は、これらの欠点の改善措置を見出す可能性を与える。  
それは、第１の特徴によれば、ヘルメットの何れか一方の側面に配置された２つの対称なエレメントを含んでいる。各エレメントは、マスクのヘッドバンドより、わずかに大きく高いことであるとともに、軸周りを回旋する長方形のフラップで構成される。
【０００８】
この軸は、ヘルメットに直接密着して、フラップを移動させる上で何らの動きもせずに支持部に対してフラップを安定させる。  
理解を容易にするために、我々は、ヘルメットの何れか一方の側面に配置された２つのエレメントのうちの１つの実施について記述する。それは、第２の実施も原理は同等であると理解される。
【０００９】
そのエレメントは、弾性ヘッドバンドとヘルメットの間のこめかみの高さで、軸がヘルメットの端部に近接して配置される。軸は、マスクの弾性ヘッドバンドに対して垂直方向に設けられる。  
フラップは、後方に向かい、ヘルメットに対して平らになる場合には、マスクの正常な配置を可能にする。後方から前方に作動させた場合、フラップは設立するように、ヘッドバンドの弾性抵抗を越えて、略１８０°を回転した後、ヘッドバンドが面に向かい保持され、ヘルメットの端部が片持ち支持される。
【００１０】
フラップの遊離端は、さらに、マスクのための新たな支持点として機能する。  
各フラップをヘルメットの何れか一方の側面に動かした場合、マスクは、一方のフラップの長さと、他方のヘルメットの端部からの回転軸により分離される距離との間の差に等しい近似の距離で面に向かうように維持される。
【００１１】
各フラップの動作させるために、後者は、これらの長さの伸びが、後者の底部または頂部の何れか一方で、弾性ヘッドバンドの端から突出するように、レバーを備えている。
【００１２】
フラップが面に向かう姿勢の時に、レバーは、取り付け台の安定保持を維持し、フラップの移動を中断する接合部を形成するために、マスクの取り付け台を持ち上げる。
【００１３】
フラップの移動を容易するために、その自由端には、一方向または他方向に動作する際に、マスクのヘッドバンドを後者上で自由回転を可能にする軸に装着されるローラーが備えられている。
【００１４】
特別の実施例によって、  
−２つの側面のエレメントの各部分は、弾性材料で形成される支持部を構成し、ヘルメットの曲がりに密着される。  
−支持部を構成する２つの側面のエレメントの各々の部分は、前端部で、フラップが操作される場合に、支持部について何らの不時の移動を回避するために、ヘルメットの端に装着および支持されるように形成され得る。
【００１５】
−支持部を構成する２つの側面のエレメントの各々の部分は、支持部について何らの不時の移動を回避するために、本発明では含まれていない、（粘着性のまたは他の）付属システムを伴い、最終的に提供され得る。  
フラップが前後位置にあっても、装置の各エレメントを構築する支持部とフラップは、装置上でマスクのヘッドバンドを維持するために、端を適切な適所に備えてもよい。
【００１６】
−支持部とフラップは、単一部品（継ぎ目を形成するより薄いエリア）を形成してもよい。支持部とフラップは、ヘルメットにマスクが装着されていない場合に、後方位置で支持部に対して、フラップが平らに維持されるために、ラグとノッチが設けられる装置に構成されてもよい。
【００１７】
−支持部を構成する２つの側面のエレメントの各々の部分は、連結状態にある時、フラップを直接受けるように形成され、ヘルメットの不可欠な部分を形成し得る支持部材に形成される。  
−装置の２つの側面のエレメントの各々は、ヘルメットの不可欠な部分を形成し、前述したような適応可能な装置の操作の原理を再生するように形作られた一部分であってもよい。
【００１８】
図１において、装置の左側のエレメントは、軸（３）に軸支される支持部（２）上に、連結されたフラップ（１）を備え、前方に向かって押し返した時にマスク上で接合部として用いられ、フラップの移動を可能にするレバー（４）が提供される。
【００１９】
フラップは、フラップの移動の促進のために軸に設けられたローラー（５）を装備している。その支持部は、前方部分でヘルメットの端部に装着できるように、フック（６）を備えている。  
端部（７、８、９、１０）については、フラップが後方または前方にあっても、マスクのヘッドバンドが装置に適切に適所に装着される。
【符号の説明】
【００２０】
１…フラップ、２…支持部、３…軸、４レバー…、５…ローラー、６…フック、７，８，９，１０…端部。
【図１】
2013526659.tif 000003
【図２】
2013526659.tif 000004
【図３】
2013526659.tif 000005
【図４】
2013526659.tif 000006
【図５】
2013526659.tif 000007
【国際調査報告】
2013526659.tif 000008
2013526659.tif 000009
2013526659.tif 000010
2013526659.tif 000011
2013526659.tif 000012
2013526659.tif 000013